(57)【要約】【課題】一回の手術あたりでの血管内への挿入作業、抜去作業の回数を減少させる。【解決手段】径方向に拡張可能な複数のステントグラフトＳＧ、…を血管内に留置するための管状治療具留置装置１００であって、シース１と、シースの内側にて当該シースの軸方向に沿って進退可能に構成され、複数のステントグラフトを係止可能な長尺の軸状部材２と、シースと軸状部材とが相対的に変位されることで軸状部材による複数のステントグラフトの係止を個別に解除して、シースの内側からステントグラフトを放出するための放出制御部３と、を備える。【選択図】図１
2019080919.tif 000002
【特許請求の範囲】
【請求項１】
複数の管状治療具を血管内に留置するための管状治療具留置装置であって、
前記複数の管状治療具は、径方向に拡張可能に構成され、
シースと、
前記シースの内側にて当該シースの軸方向に沿って進退可能に構成され、前記複数の管状治療具を係止可能な長尺の軸状部材と、
前記シースと前記軸状部材とが相対的に変位されることで前記軸状部材による前記複数の管状治療具の係止を個別に解除して、前記シースの内側から前記管状治療具を放出するための放出制御部と、
を備える管状治療具留置装置。
【請求項２】
前記放出制御部は、前記複数の管状治療具のうち、一の管状治療具を前記シースの内側から放出させる際に、他の管状治療具の前記シースに対する軸方向の移動を規制する請求項１に記載の管状治療具留置装置。
【請求項３】
前記軸状部材は、
外側軸部と、この外側軸部に内挿された内側軸部と、を有し、
前記複数の管状治療具は、
前記内側軸部の被係止部に係止される第一の管状治療具と、前記外側軸部の被係止部に係止される第二の管状治療具と、を含む請求項１または２に記載の管状治療具留置装置。
【請求項４】
前記放出制御部は、前記第一の管状治療具を放出させる際に、前記第二の管状治療具の前記シースに対する軸方向の移動を規制するとともに、前記第二の管状治療具の前記シースに対する軸方向の移動の規制を解除して当該第二の管状治療具を放出させるようになっている請求項３に記載の管状治療具留置装置。
【発明の詳細な説明】
【技術分野】
【０００１】
本発明は、管状治療具留置装置に関する。
【背景技術】
【０００２】
従来、ステントやステントグラフト等の血管内管状治療具を留置する管状治療具留置装置が知られている（例えば、特許文献１参照）。
【先行技術文献】
【特許文献】
【０００３】
【特許文献１】特開２０１０−２６８９５０号公報
【発明の概要】
【発明が解決しようとする課題】
【０００４】
ところで、通常、一の管状治療具留置装置には一の血管内留置具が格納されている。しかしながら、例えば、胸部用のステントグラフトでは、一症例あたり平均１．５本以上のステントグラフトが使用され、腹部用のステントグラフトでは、構造にもよるが３ピースで１システムとなっている場合もある。
このような場合、一回の手術で複数本の管状治療具留置装置を血管内に挿入、抜去することになるため、血管の損傷、脳梗塞、対麻痺が生じる虞が高まる。したがって、シンプルでより少ない操作での治療完了が望まれている。
【０００５】
そこで、本発明は、このような問題に鑑みてなされたものであり、一回の手術あたりでの血管内への挿入作業、抜去作業の回数を減少させることができる管状治療具留置装置を提供することを目的とする。
【課題を解決するための手段】
【０００６】
上記課題を解決するため、本発明の一の態様は、
複数の管状治療具を血管内に留置するための管状治療具留置装置であって、
前記複数の管状治療具は、径方向に拡張可能に構成され、
シースと、
前記シースの内側にて当該シースの軸方向に沿って進退可能に構成され、前記複数の管状治療具を係止可能な長尺の軸状部材と、
前記シースと前記軸状部材とが相対的に変位されることで前記軸状部材による前記複数の管状治療具の係止を個別に解除して、前記シースの内側から前記管状治療具を放出するための放出制御部と、
を備えることを特徴としている。
【発明の効果】
【０００７】
本発明によれば、一回の手術あたりでの血管内への挿入作業、抜去作業の回数を減少させることができる。
【図面の簡単な説明】
【０００８】
【図１】本発明に係る一実施形態の管状治療具留置装置を模式的に示す図である。
【図２】図１の管状治療具留置装置からステントグラフトを放出する際の使用方法を説明するために示す図である。
【図３】図１の管状治療具留置装置からステントグラフトを放出する際の使用方法を説明するために示す図である。
【発明を実施するための形態】
【０００９】
以下、本発明の実施形態について図面を参照して説明する。
図１は、本発明に係る一実施形態の管状治療具留置装置１００を模式的に示す図である。図２（ａ）〜図２（ｄ）並びに図３（ａ）〜図３（ｃ）は、管状治療具留置装置１００に収容されているステントグラフトＳＧを放出する際の使用方法を説明するために示す図である。
【００１０】
本実施形態の管状治療具留置装置１００は、複数のステントグラフトＳＧ、…（例えば、第一及び第二のステントグラフトＳＧａ、ＳＧｂ）を収容しており、当該管状治療具留置装置１００からステントグラフトＳＧが個別に放出されることで血管Ｖ（図２（ａ）等参照）内の留置部位（例えば、狭窄部位等）に留置される。
【００１１】
＜ステントグラフト＞
先ず、ステントグラフトＳＧについて説明する。
ステントグラフトＳＧは、公知のものであり、ここでは詳細な説明は省略するが、例えば、金属細線が格子状やジグザグ状に形成された構造をなし、外形が全体として略円筒状に成形された骨格部を覆うようにグラフト部（図示略）が縫合固定されている。また、ステントグラフトＳＧは、径方向に拡張可能となっており、例えば、骨格部の拡張状態の形状が記憶された、いわゆる自己拡張型の構成をなしている。
【００１２】
なお、骨格部を構成する金属細線の材料としては、例えば、Ｎｉ−Ｔｉ合金、ステンレス鋼、チタン合金などに代表される公知の金属や金属合金が挙げられる。
また、グラフト部を構成する材料としては、例えば、ＰＴＦＥ（ポリテトラフルオロエチレン）等のフッ素樹脂、ＰＥＴ（ポリエチレンテレフタレート）等のポリエステル樹脂などが挙げられる。
【００１３】
＜管状治療具留置装置＞
次に、管状治療具留置装置１００について詳細に説明する。
管状治療具留置装置１００は、図１に示すように、シース１と、このシース１の内側に配置され、複数のステントグラフト（管状治療具）ＳＧ、…を係止可能な軸状部材２と、シース１の内側からステントグラフトＳＧを個別に放出するための放出制御部３とを備えている。
なお、図１、後述する図２（ａ）〜図２（ｄ）並びに図３（ａ）〜図３（ｃ）においては、シース１の厚さを誇張して表している。また、以下の説明では、管状治療具留置装置１００の使用者からみて遠い方（遠位側）を先端側とし、使用者からみて近い方（近位側）を基端側とする。
【００１４】
シース１は、可撓性を有する材料で形成された長尺な管状部材である。また、シース１の基端部には、放出制御部３を構成する放出制御用操作部３１（詳細後述）が取り付けられている。
なお、可撓性を有する材料としては、例えば、合成樹脂（エラストマー）、合成樹脂に他の材料が混合された樹脂コンパウンド、合成樹脂が多層で構成された多層構造体、または合成樹脂と金属線との複合体等が挙げられる。
【００１５】
軸状部材２は、シース１の内側にて当該シース１の軸方向（図１における左右方向）に沿って進退可能に構成された長尺な部材である。具体的には、軸状部材２は、外側軸部２１と、この外側軸部２１に内挿された内側軸部２２とを有している。
【００１６】
外側軸部２１は、例えば、略一定の外径を有する長尺な筒状部材であり、その先端側に、第二のステントグラフトＳＧｂの骨格部が係止される第二の被係止部２１１が設けられている。
第二の被係止部２１１は、例えば、外側軸部２１の外周面から径方向外側に突出した突起形状をなし、第二のステントグラフトＳＧｂの骨格部により形成される空間に配置される。これにより、外側軸部２１の軸方向の移動に伴って、当該管状治療具留置装置１００内に収縮状態で収容されている第二のステントグラフトＳＧｂも軸方向に移動することとなる。
また、外側軸部２１は、その基端側にて放出制御用操作部３１を貫通するように配設されている。
【００１７】
内側軸部２２は、外側軸部２１に互いの軸心をほぼ一致させるように同軸状に内挿され、その先端側の部分が外側軸部２１から露出されている。また、内側軸部２２の先端には、先端チップ４が装着されており、この先端チップ４よりもわずかに基端側に、第一のステントグラフトＳＧａの骨格部が係止される第一の被係止部２２１が設けられている。
第一の被係止部２２１は、例えば、第二の被係止部２１１とほぼ同様に、内側軸部２２の外周面から径方向外側に突出した突起形状をなし、第一のステントグラフトＳＧａの骨格部により形成される空間に配置される。これにより、内側軸部２２の軸方向の移動に伴って、当該管状治療具留置装置１００内に収縮状態で収容されている第一のステントグラフトＳＧａも軸方向に移動することとなる。
【００１８】
なお、外側軸部２１及び内側軸部２２は、可撓性を有する材料で形成されている。
可撓性を有する材料としては、例えば、合成樹脂（エラストマー）、合成樹脂に他の材料が混合された樹脂コンパウンド、合成樹脂が多層で構成された多層構造体、または合成樹脂と金属線との複合体等が挙げられる。
【００１９】
先端チップ４は、例えば、その外径がシース１の内径よりも小さくなっており、シース１に対する内側軸部２２の基端側への移動によりシース１内へ引き込み可能に構成されている（図２（ｃ）参照）。
なお、先端チップ３を構成する材料としては、例えば、ポリアミド系樹脂、ポリウレタン系樹脂又はポリ塩化ビニル系樹脂等から構成された合成樹脂（エラストマー）などの、適度な硬度及び柔軟性を有する種々の材料等が挙げられる。
【００２０】
放出制御部３は、シース１と軸状部材２とが軸方向に相対的に変位されることで軸状部材２による第一及び第二のステントグラフトＳＧａ、ＳＧｂの係止を個別に解除可能となっている。
すなわち、例えば、軸状部材２の位置を固定した状態でシース１を軸方向に沿って基端側に変位させると、内側軸部２２の第一の被係止部２２１に係止されている第一のステントグラフトＳＧａがシース１の内側から血管Ｖ内に放出される。ここで、シース１を軸方向に沿って基端側に変位させる際には、放出制御用操作部３１の所定操作に基づいて、外側軸部２１の第二の被係止部２１１に係止されている第二のステントグラフトＳＧｂのシース１に対する軸方向の移動を規制した状態とする。つまり、第二のステントグラフトＳＧｂは、シース１と一体的に軸方向基端側へ移動することとなる。
第一のステントグラフトＳＧａが放出された後、放出制御用操作部３１の所定操作に基づいて、外側軸部２１の第二の被係止部２１１に係止されている第二のステントグラフトＳＧｂのシース１に対する軸方向の移動の規制が解除される。そして、軸状部材２の位置を固定した状態でシース１を軸方向に沿って基端側に変位させると、外側軸部２１の第二の被係止部２１１に係止されている第二のステントグラフトＳＧｂがシース１の内側から血管Ｖ内に放出される。
【００２１】
なお、第二のステントグラフトＳＧｂのシース１に対する軸方向の移動を規制したり当該規制を解除したりする手段（第二のステントグラフトＳＧｂをシース１と一体的に軸方向へ移動させたり独立して移動させたりするようにする手段）としては、例えば、放出制御用操作部３１を貫通している外側軸部２１を外面側から押圧して挟持したり、放出制御用操作部３１の所定部位と外側軸部２１の所定部位とを係止させたりする構成が挙げられる。
【００２２】
＜管状治療具留置装置の使用方法＞
次に、管状治療具留置装置１００の使用方法について、図２（ａ）〜図３（ｃ）を参照して説明する。
なお、以下の説明では、事前に血管Ｖ内に図示しないガイドワイヤが挿通されて、当該ガイドワイヤに沿って管状治療具留置装置１００が導入されるものとする。
【００２３】
先ず、収縮状態の第一及び第二のステントグラフトＳＧａ、ＳＧｂが収容された管状治療具留置装置１００を血管Ｖ内に挿入し、図２（ａ）中太い実線の矢印で示すように、第一のステントグラフトＳＧａをその留置部位まで搬送する（図２（ａ）参照）。
そして、放出制御部３により第二のステントグラフトＳＧｂのシース１に対する軸方向の移動を規制した状態で、図２（ｂ）中白抜きの矢印で示すように、軸状部材２の内側軸部２２の位置を固定してシース１を軸方向基端側に変位させる（図２（ｂ）参照）。すると、内側軸部２２の第一の被係止部２２１に係止されている第一のステントグラフトＳＧａがシース１の内側から血管Ｖ内に放出される。このとき、外側軸部２１の第二の被係止部２１１に係止されている第二のステントグラフトＳＧｂは、シース１と一体的に軸方向基端側へ移動する。
【００２４】
次に、放出制御用操作部３１の所定操作に基づいて、外側軸部２１の第二の被係止部２１１に係止されている第二のステントグラフトＳＧｂのシース１に対する軸方向の移動の規制を解除する（図２（ｃ）参照）。そして、図２（ｃ）中細い実線の矢印で示すように、シース１の位置を固定して軸状部材２の内側軸部２２を軸方向基端側に変位させる。
続けて、図２（ｄ）中白抜きの矢印で示すように、軸状部材２全体の位置を固定して、シース１の先端開口が先端チップ４よりも基端側に位置するように（先端チップ４を露出させるように）軸方向基端側に変位させる（図２（ｄ）参照）。
【００２５】
次に、図３（ａ）中太い実線の矢印で示すように、管状治療具留置装置１００に第二のステントグラフトＳＧｂが収容された状態で、第二のステントグラフトＳＧｂをその留置部位まで搬送する（図３（ａ）参照）。なお、上記した先端チップ４を露出させる操作（図２（ｄ）参照）を行うことなく、第二のステントグラフトＳＧｂをその留置部位まで搬送してもよい。
そして、図３（ｂ）中白抜きの矢印で示すように、軸状部材２全体の位置を固定してシース１を軸方向基端側に変位させる（図３（ｂ）参照）。すると、外側軸部２１の第二の被係止部２１１に係止されている第二のステントグラフトＳＧｂがシース１の内側から血管Ｖ内に放出される。
その後、管状治療具留置装置１００を血管Ｖ内から抜去する（図３（ｃ）参照）。
【００２６】
以上のように、本実施形態の管状治療具留置装置１００によれば、複数のステントグラフトＳＧ、…（第一及び第二のステントグラフトＳＧａ、ＳＧｂ）を血管Ｖ内に留置するための管状治療具留置装置１００であって、複数のステントグラフトＳＧ、…は、径方向に拡張可能に構成され、シース１と、シース１の内側にて当該シース１の軸方向に沿って進退可能に構成され、複数のステントグラフトＳＧ、…を係止可能な長尺の軸状部材２と、シース１と軸状部材２とが相対的に変位されることで軸状部材２による複数のステントグラフトＳＧ、…の係止を個別に解除して、シース１の内側からステントグラフトＳＧを放出するための放出制御部３とを備えている。
従って、一回の手術で一の管状治療具留置装置１００を血管Ｖ内に挿入するだけで、当該管状治療具留置装置１００に係止されている複数のステントグラフトＳＧ、…をシース１内から個別に放出することができ、一回の手術あたりでの血管Ｖ内への管状治療具留置装置１００の挿入作業、抜去作業の回数を減少させることができる。
その結果、例えば、手術時間の短縮や出血量の低減による患者への負担の軽減も図ることができる。
【００２７】
特に、放出制御部３は、複数のステントグラフトＳＧ、…のうち、一のステントグラフトＳＧ（第一のステントグラフトＳＧａ）をシース１の内側から放出させる際に、他のステントグラフトＳＧ（第二のステントグラフトＳＧｂ）のシース１に対する軸方向の移動を規制するので、先に一のステントグラフトＳＧを放出するためにシース１と軸状部材２とを相対的に変位させる際に、後に放出される他のステントグラフトＳＧがシース１に対して軸方向に移動する場合よりも抵抗の低減を図ることができ、管状治療具留置装置１００に係止されている複数のステントグラフトＳＧ、…を個別に適正に放出することができる。
【００２８】
なお、本発明は、上記実施形態に限定されることなく、本発明の趣旨を逸脱しない範囲において、種々の改良並びに設計の変更を行ってもよい。
例えば、管状治療具留置装置１００に二つのステントグラフトＳＧ、ＳＧを収容して血管Ｖ内に留置するようにしたが、ステントグラフトＳＧの数は一例であってこれに限られるものではなく、適宜任意に変更可能である。すなわち、放出制御部３や軸状部材２の構成を適宜変更することで三つ以上のステントグラフトＳＧ、…を留置可能に構成されていてもよい。例えば、留置されるステントグラフトＳＧの数に応じて軸状部材２の入れ子の数を変更するようにしてもよい。
【００２９】
また、上記実施形態にあっては、管状治療具として、ステントグラフトＳＧを例示したが、一例であってこれに限られるものではなく、例えば、ステントなど適宜任意に変更可能である。
【００３０】
加えて、今回開示された実施形態は、全ての点で例示であって制限的なものではないと考えられるべきである。本発明の範囲は、上記した説明ではなくて特許請求の範囲によって示され、特許請求の範囲と均等の意味及び範囲内での全ての変更が含まれることが意図される。
【符号の説明】
【００３１】
１００  管状治療具留置装置
１      シース
２      軸状部材
２１    外側軸部
２１１  第二の被係止部
２２    内側軸部
２２１  第一の被係止部
３      放出制御部
３１    放出制御用操作部
ＳＧ    ステントグラフト（管状治療具）
ＳＧａ  第一のステントグラフト（第一の管状治療具）
ＳＧｂ  第二のステントグラフト（第二の管状治療具）
【図１】
2019080919.tif 000003
【図２】
2019080919.tif 000004
【図３】
2019080919.tif 000005